(57)【特許請求の範囲】
【請求項１】
建物開口部の両側に互いに平行を成して立設され、少なくとも一方の横方向へのスライド操作により相互間隔が変更自在な第１及び第２の框部材と、該第１及び第２の框部材にそれぞれ連結される第１端及び第２端を有し、折り畳みにより横方向に拡縮自在に形成されたスクリーンと、該スクリーンの第１端と第２端との間を多段に横方向に貫通させて張り廻された張紐により構成され、上記第１及び第２の框部材の平行状態を維持するための平行移動機構とを有していて、
上記スクリーンの少なくとも第１端には、上記第１の框部材に対し係脱自在な連結部材が取り付けられ、
該連結部材は、上記スクリーンの第１端が直接的に固定されたベース体と、凹溝状の内面を有し該ベース体の内面との間に上下方向に延びる中空部を形成するカバー体とを有していて、該カバー体の一方の縦縁を該ベース体の一方の縦縁に対しヒンジ部で開閉可能に連結することにより、一体に形成されており、
上記スクリーンを多段に貫通して第１端に導出された各張紐が、上記ベース体を貫通して、全て上記連結部材の中空部内を通じて上下方向に導かれる、
ことを特徴とする横引き式スクリーン装置。
【請求項２】
上記連結部材の長さが、上記スクリーンの縦寸法以下、スクリーンの最上段に張られた張紐と最下段に張られた張紐との距離以上であって、上記ベース体とカバー体とが同じ長さを有している、
ことを特徴とする請求項１に記載の横引き式スクリーン装置。
【請求項３】
上記スクリーンが、多数の襞を交互に逆方向に折り畳むことにより形成されていて、
上記ベース体が、略平板状に形成されており、
該スクリーンの第１端の襞が、上記ベース体における上記ヒンジ部とは逆側の縦縁で折り返されて、該ベース体の内面に固定され、
上記カバー体に設けられた係合爪が、上記ベース体における上記ヒンジ部とは逆側の縦縁に対し、上記スクリーンを挟んで係合されている、
ことを特徴とする請求項２に記載の横引き式スクリーン装置。
【請求項４】
上記第１の框部材には第２の框部材側に向けた開口を有するスクリーン取付溝が設けられていて、上記連結部材が該スクリーン取付溝内に係脱自在に収容されており、
上記スクリーン取付溝の開口には一対の係合突部が内方向に向けて突設されていて、これら係合突部によりその開口幅が上記連結部材の幅よりも狭められており、
上記スクリーンに拡張方向の力が作用した際に、上記連結部材の係合爪側が上記係合突部に当接すると共に、該連結部材のヒンジ部側が上記スクリーン取付溝の内面に当接することにより、該連結部材が該スクリーン取付溝から抜脱するのが阻止されるように構成されている、
ことを特徴とする請求項３に記載の横引き式スクリーン装置。
【請求項５】
上記スクリーン取付溝が、その横断面において、スクリーン側に配された幅広の第１溝部と、その第１溝部の溝底に配された幅狭の第２溝部とにより略凸字状に形成され、
上記連結部材が、その横断面において、スクリーン側に配された幅広の第１段部と、その第１段部の段上に配された幅狭の第２段部とにより略凸字状に形成されており、
上記第１溝部が、上記第１段部よりも幅広に形成され、
上記第２溝部が、上記第１段部よりも幅狭かつ上記第２段部よりも幅広に形成されている、
ことを特徴とする請求項４に記載の横引き式スクリーン装置。
【請求項６】
上記スクリーン取付溝の横断面において、上記第２溝部が上記第１溝部における溝底の中央に形成されており、  
上記連結部材の横断面において、上記第２段部が上記第１段部の段上における上記ヒンジ部側に偏寄した位置に形成され、
上記スクリーン取付溝の第２溝部に連結部材の第２段部が係合した状態では、スクリーン取付溝内において連結部材をヒンジ部側に寄せても、上記連結部材の係合爪側がスクリーン取付溝の開口の係合突部に係合してスクリーン取付溝の開口から脱出せず、逆にスクリーン取付溝内において連結部材を係合爪側に寄せれば、連結部材のヒンジ部側がスクリーン取付溝の開口の係合突部に係合することなくスクリーン取付溝の開口から脱出するような寸法関係に形成されている、
ことを特徴とする請求項５に記載の横引き式スクリーン装置。
【請求項７】
上記第１の框部材が、上記建物開口部に対し横方向にスライド自在に設けられた可動框で、上記第２の框部材が、上記建物開口部の一方の側枠に固定された固定框であり、  
上記スクリーンの第１端に取り付けられた連結部材の上下端から導出された張紐が、上記可動框の上下端部において横方向に転向され、該可動框を貫通することなく該可動框の上下端を通って、上記建物開口部の他方の側枠側へと導かれている、
ことを特徴とする請求項１〜６の何れかに記載の横引き式スクリーン装置。
【発明の詳細な説明】
【技術分野】
【０００１】
本発明は、アコーディオン式に拡縮自在なスクリーンを横引きにより開閉自在とした、防虫、遮光、目隠しあるいは断熱等のためのスクリーン装置に関するもので、さらに詳しくは、張紐による平行移動機構を備えた横引き式スクリーン装置に関するものである。
【背景技術】
【０００２】
従来から、アコーディオン式に拡縮自在なスクリーンを横引きにより開閉自在としたスクリーン装置において、可動框の姿勢を維持した状態でスムーズかつ安定的な開閉操作を実現すると同時に、風圧等の外力によるスクリーンのたわみを抑制するために、スクリーンや框内等に張紐を架け廻して成る平行移動機構が設けられたものは既に知られている。
ところで、このような張紐による平行移動機構を備えたスクリーン装置においては、スクリーンを多段に貫通させた張紐が框内などで絡みやすく、框内における張り廻しが複雑になりがちで、メンテナンス等によりスクリーンを框から着脱する際に、作業性が必ずしも良好であるとはいえなかった。
【０００３】
このような問題点を解決するものとしては、例えば、特許文献１が挙げられる。この特許文献１に記載のスクリーン装置においては、スクリーン３のスクリーン取付枠２への取付部３ａに固定部材９が固定されていて、スクリーン３を貫通した複数本のワイヤー等のスクリーン張力部材８が、上記取付部３ａ及び固定部材９を通じて外側に引き出されている。そして、上記固定部材９における上記スクリーン張力部材８が引き出される箇所には通線部材１９がそれぞれ固定されており、引き出されたスクリーン張力部材８が、該通線部材１９に貫設された通線孔２０を通じて、同じく該通線部材１９のガイド部２３内の通線空間２２に引き込まれると共に、下方向に転向され、隣接する他の通線部材１９のガイド部２３内の通線空間２２へと導かれている。一方、各通線部材１９の両側には、長さ方向に延びる係合溝２４がそれぞれ形成されていて、長尺のカバー部材２７に設けられた一対の係合突起２８を上記係合溝２４にそれぞれ係合させることによって、上記固定部材１９上に延びる各スクリーン張力部材８を該カバー部材２７で覆うことが出来るようになっている。
【０００４】
しかしながら、この特許文献１に記載のスクリーン装置においては、上記固定部材９上に張られたスクリーン張力部材８を覆うためのカバー部材２７が、該固定部材９と別体に形成されているため、部品点数が増えしまう。しかも、該固定部材９に沿って張られた複数本のスクリーン張力部材８の全てをスムーズにカバー部材２７内に納めることは困難であり、該張力部材８のスクリーン３に対する装着作業が繁雑となり、それを解決するために、通線部材１９のような張力部材８を束ねる部材を設けるとなると、更なる部品点数の増大や構造の複雑化を招くため、結果としてコスト高になるという問題がある。
【先行技術文献】
【特許文献】
【０００５】
【特許文献１】特開２００９−７８６１号公報
【発明の概要】
【発明が解決しようとする課題】
【０００６】
本発明の技術的課題は、スクリーンや框内に張紐を架け廻して成る平行移動機構を備えたスクリーン装置において、スクリーンを框部材に対し着脱するに当たっての優れた作業性を低コストにて実現することを可能にした横引き式スクリーン装置を提供することにある。
【課題を解決するための手段】
【０００７】
上記課題を解決するため、本発明に係る横引き式スクリーン装置は、建物開口部の両側に互いに平行を成して立設され、少なくとも一方の横方向へのスライド操作により相互間隔が変更自在な第１及び第２の框部材と、該第１及び第２の框部材にそれぞれ連結される第１端及び第２端を有し、折り畳みにより横方向に拡縮自在に形成されたスクリーンと、該スクリーンの第１端と第２端との間を多段に横方向に貫通させて張り廻された張紐により構成され、上記第１及び第２の框部材の平行状態を維持するための平行移動機構とを有していて、上記スクリーンの少なくとも第１端には、上記第１の框部材に対し係脱自在な連結部材が取り付けられ、該連結部材は、上記スクリーンの第１端が直接的に固定されたベース体と、凹溝状の内面を有し該ベース体の内面との間に上下方向に延びる中空部を形成するカバー体とを有していて、該カバー体の一方の縦縁を該ベース体の一方の縦縁に対しヒンジ部で開閉可能に連結することにより、一体に形成されており、上記スクリーンを多段に貫通して第１端に導出された各張紐が、上記ベース体を貫通して、全て上記連結部材の中空部内を通じて上下方向に導かれることを特徴としている。
【０００８】
上記スクリーン装置において、望ましくは、上記連結部材の長さが、上記スクリーンの縦寸法以下、スクリーンの最上段に張られた張紐と最下段に張られた張紐との距離以上であって、上記ベース体とカバー体とが同じ長さを有するものとして構成される。
そして、より望ましくは、上記スクリーンが、多数の襞を交互に逆方向に折り畳むことにより形成されていて、上記ベース体が、略平板状に形成されており、該スクリーンの第１端の襞が、上記ベース体における上記ヒンジ部とは逆側の縦縁で折り返されて、該ベース体の内面に固定され、上記カバー体に設けられた係合爪が、上記ベース体における上記ヒンジ部とは逆側の縦縁に対し、上記スクリーンを挟んで係合される。
【０００９】
また、上記横引き式スクリーン装置において更に望ましくは、上記第１の框部材には第２の框部材側に向けた開口を有するスクリーン取付溝が設けられていて、上記連結部材が該スクリーン取付溝内に係脱自在に収容されており、上記スクリーン取付溝の開口には一対の係合突部が内方向に向けて突設されていて、これら係合突部によりその開口幅が上記連結部材の幅よりも狭められており、上記スクリーンに拡張方向の力が作用した際に、上記連結部材の係合爪側が上記係合突部に当接すると共に、該連結部材のヒンジ部側が上記スクリーン取付溝の内面に当接することにより、該連結部材が該スクリーン取付溝から抜脱するのが阻止されるように構成される。
【００１０】
このとき、上記スクリーン取付溝が、その横断面において、スクリーン側に配された幅広の第１溝部と、その第１溝部の溝底に配された幅狭の第２溝部とにより略凸字状に形成され、上記連結部材が、その横断面において、スクリーン側に配された幅広の第１段部と、その第１段部の段上に配された幅狭の第２段部とにより略凸字状に形成されており、上記第１溝部が、上記第１段部よりも幅広に形成され、上記第２溝部が、上記第１段部よりも幅狭かつ上記第２段部よりも幅広に形成されていても良い。
【００１１】
また、上記スクリーン取付溝の横断面において、上記第２溝部が上記第１溝部における溝底の中央に形成されており、上記連結部材の横断面において、上記第２段部が上記第１段部の段上における上記ヒンジ部側に偏寄した位置に形成され、上記スクリーン取付溝の第２溝部に連結部材の第２段部が係合した状態では、スクリーン取付溝内において連結部材をヒンジ部側に寄せても、上記連結部材の係合爪側がスクリーン取付溝の開口の係合突部に係合してスクリーン取付溝の開口から脱出せず、逆にスクリーン取付溝内において連結部材を係合爪側に寄せれば、連結部材のヒンジ部側がスクリーン取付溝の開口の係合突部に係合することなくスクリーン取付溝の開口から脱出するような寸法関係に形成されていてもよい。
【００１２】
なお、上記横引き式スクリーン装置の一実施形態においては、上記第１の框部材が、上記建物開口部に対し横方向にスライド自在に設けられた可動框で、上記第２の框部材が、上記建物開口部の一方の側枠に固定された固定框であり、上記スクリーンの第１端に取り付けられた連結部材の上下端から導出された張紐が、上記可動框の上下端部において横方向に転向され、該可動框を貫通することなく該可動框の上下端を通って、上記建物開口部の他方の側枠側へと導かれたものとすることができる。
【発明の効果】
【００１３】
以上のように、本発明に係る横引き式スクリーン装置によれば、スクリーンを多段に貫通してその端に導出された各張紐を、全てベース体とカバー体とをヒンジ部を介して連結して成る連結部材内に纏めることが出来ると同時に、該連結部材によりスクリーン端を框部材に連結させて保持させることが出来るため、框部材に対するスクリーンの着脱作業が極めて容易となる。そのとき、ベース体とカバー体とがヒンジ部を介して一体に形成されており、しかも、複数本の張紐を連結部材内に収容するにあたり、単に複数本の張紐をカバー体を開いた連結部材の開口側から該連結部材のヒンジ部側へと纏めて押し込んだ状態で、該カバー体を閉めれば足りるため、スクリーンに対する張紐の装着作業性に優れると共に、部品点数の増大をも抑制することも可能となり、結果として製造コストを抑制することができる。
【図面の簡単な説明】
【００１４】
【図１】本発明に係る横引き式スクリーン装置の実施例を、一部を破断して示す正面図である。
【図２】同側断面図である。
【図３】同平断面図である。
【図４】（ａ）は連結部材の閉鎖状態を示す平断面図、（ｂ）は同開放状態を示す平断面図である。
【図５】（ａ）は、スクリーン取付溝内において連結部材の幅方向の移動が規制され、連結部材が可動框から取り外し不能にされた態様を説明する部分平断面図、（ｂ）は、可動框から連結部材を取り外す態様を説明する部分平断面図である。
【図６】（ａ）は連結部材の上下端から導出させた張紐を架け廻らす態様を説明するための概略斜視図、（ｂ）は上記張紐を架け廻らす態様の更なる進行状態で、連結部材の上下端から張紐を導出させた態様を示す概略斜視図である。
【図７】図６の（ｂ）の状態から連結部材を可動框に係合させた態様を示す概略斜視図である。
【図８】張紐による平行移動機構の他の構成態様を示す概略斜視図である。
【発明を実施するための形態】
【００１５】
図１〜図７は、本発明に係る横引き式スクリーン装置の一実施形態を示している。
本実施形態の横引き式スクリーン装置は、防虫、遮光、目隠しあるいは断熱等のためのスクリーンをアコーディオン式に開閉自在なものとして、建物開口部１において横方向に延びる一対の上下枠１ａ，１ｂと縦方向に延びる一対の側枠１ｃ，１ｄの間に設置するもので、上記上枠１ａに固定される上固定枠２と、上記下枠１ｂに固定される下固定枠３と、上記上固定枠２及び下固定枠３により上下端部をスライド自在に支持された第１の框部材としての可動框４と、上記一対の側枠１ｃ，１ｄのうち第１の側枠１ｃに固定された第２の框部材としての固定框５、及び第２の側枠１ｄに固定された縦固定枠（受枠）６と、縦方向に延びる多数の襞を交互に逆方向に折り畳むことにより横方向に拡縮自在に形成され、左右両端が上記可動框４及び固定框５に連結して保持されたプリーツ状のスクリーン７と、上記スクリーン７の左右両端間を多段に横方向に貫通させて張り廻された張紐８により構成され、上記固定框５に対する可動框４の平行状態を常時維持して可動框４によるスムーズかつ安定した開閉操作を実現すると共に、風圧等の外力によるスクリーンのたわみを抑制するための平行移動機構とを有している。
【００１６】
なお、本実施形態においては、上記第１の框部材を可動框４とし第２の框部材を固定框５としているが、必ずしもそれに限られるものではなく、第１の框部材が固定框で第２の框部材が可動框であっても良く、また、第１及び第２の框部材の双方が可動框であっても良い。すなわち、上記第１の框部材及び第２の框部材が、建物開口部１内にいおいて互いに平行を成して垂直に立設され、少なくとも一方の框部材の横方向へのスライドにより相互の間隔が変更自在でありさえすれば良い。
【００１７】
本実施形態について更に具体的に説明すると、上記上固定枠２は、図２に示すように、下方に向けて開口する断面略コ字状に形成されていて、その内部には上記可動框４の上端を滑らかに支持するためのガイド面２ａを有するガイド部材２ｂが設けられている。そして、上記下固定枠３は、上方に向けて開口する断面略コ字状に形成されていて、その内部には上記可動框４の下端を滑らかに支持するためのガイド面３ａが設けられている。
なお、該可動框４の上下端には転動輪４ａ，４ａがそれぞれ取り付けられていて、該可動框４によるスクリーン装置の開閉操作時に、該転動輪４ａ，４ａが上記上下固定枠２，３のガイド面２ａ，３ａを転動することにより、該可動框４がスムーズにスライドするようになっている。
【００１８】
また、上記スクリーン７は、防虫に適したネット、遮光性や断熱性に富んだネットまたはシート、目隠しに適したネットまたはシート等、用途に応じて適宜材料により形成されたもので、図３に示すように、その右端である第１端の襞には、長尺の筒状に形成され、該第１端で上下方向に張られる張紐８を一括して収容するための連結部材９が直接固定されている。一方、そのスクリーン７の左端である第２端の襞には、長尺の略平板状に形成された固定板１０が直接固定されている。そして、上記連結部材９が上記可動框４に対し係脱自在に連結されると共に、上記固定板１０が上記固定框５に対し係脱自在に連結されている。
【００１９】
更に具体的に説明すると、上記可動框４には、図３及び図５からわかるように、折り畳まれたスクリーン７を収容するための凹溝状の第１のスクリーン収容部１１が、上記固定框５側に向けて開口させて縦方向に形成されている。すなわち、該スクリーン収容部１１は上記スクリーン７の襞の幅よりも大きな溝幅を有している。また、該スクリーン収容部１１の底には、同じく固定框５側に向けて開口する第１のスクリーン取付溝１２が設けられていて、該スクリーン取付溝１２の開口部は、互いに内方向に対向して突設された一対の第１係合突部１３，１３により開口幅が狭められている。そして、上記連結部材９が、これら一対の係合突部１３，１３により開口部を絞られたスクリーン取付溝１２内に係脱自在に収容され、その結果、上記スクリーン７の第１端が上記可動框４に連結され、保持されている。
【００２０】
一方、上記固定框５にも同様に、折り畳まれたスクリーン７を収容するための凹溝状でスクリーン７の襞の幅よりも大きな溝幅を有する第２のスクリーン収容部１４が、上記可動框４側に開口させて縦方向に形成されている。また、該スクリーン収容部１４の底に、同じく可動框４側に向けて開口する第２のスクリーン取付溝１６を持つ溝部材１５が保持されていて、該スクリーン取付溝１６の開口部も、互いに内方向に対向して突設された一対の第２係合突部１７，１７により、上記固定板１０の幅よりも開口幅が狭められている。そして、上記固定板１０が、該一対の係合突部１７，１７によりスクリーン取付溝１６内に係脱自在に収容され、その結果、上記スクリーン７の第２端が上記固定框５に連結され保持されている。
【００２１】
なお、本実施形態においては、スクリーン７の可動框４側の第１端に連結部材９を固定し、固定框５側の第２端に固定板１０を固定しているが、必ずしもそれに限られるものではなく、スクリーン７の可動框４側の第１端に固定板を固定して固定框５側の第２端に連結部材を固定しても良いし、スクリーン７の左右両端（第１端及び第２端）に連結部材９をそれぞれ固定しても良い。すなわち、スクリーン７の左右両端のうち少なくとも何れか一方あるいは双方に連結部材９が固定されるが、該連結部材９は、基本的に、スクリーン７に挿通して導出した張紐８を収容して上下方向に導くためのものであり、しかも、張紐８が連結部材９において上下方向に導かれる場合において、該張紐８がそれ自体の長手方向に移動する態様で用いられるときに該連結部材９を用いるのが、該張紐のまとまり及び摺動性、操作性等の観点から望ましく、その張紐８がスクリーン７からの導出位置において長手方向に移動しない状態で用いられる場合には、特に連結部材９を用いる必要はなく、固定板１０を用いることができる。
【００２２】
ところで、上記連結部材９は、図１、図６及び図７からわかるように、その上端側及び下端側が開放された長尺な筒状体であり、その具体的構成は、図４の（ａ）及び（ｂ）に明確に示すように、幅方向の両端において長手方向に伸びる第１及び第２の縦縁１８ａ，１８ｂを有する略平板状のベース体１８と、凹溝状の内面を有し該ベース体１８の内面との間に上下方向に延びる中空部２０を形成する上記ベース体１８と同じ軸線方向長さのカバー体１９とを有し、該カバー体１９の一方の縦縁１９ａを、ベース体１８の一方の縦縁１８ａに対し薄肉化により可撓性を付与したヒンジ部２１で開閉可能に連結することにより、合成樹脂で一体に形成されている。上記連結部材９の長さは、図６からわかるように、上記スクリーン７の縦寸法以下で、スクリーン７の最上段に張られた張紐８と最下段に張られた張紐８との間の距離以上に形成されている。
【００２３】
上記連結部材９に対する上記スクリーン７の取り付けは、上記ベース体１８に上記スクリーン７の第１端が直接的に固定され、具体的には、図５に示すように、略平板状の上記ベース体１８に対して、多数の襞を交互に逆方向に折り畳むことにより形成されている上記スクリーン７の第１端の襞７ａが、該ベース体１８における上記ヒンジ部２１とは逆側の縦縁１８ｂで折り返されて、該ベース体１８の内面側に両面接着テープあるいは接着剤等で固定され、カバー体１９におけるヒンジ部２１とは逆側端に設けられた係合爪１９ｄが、上記ベース体１８における上記ヒンジ部２１とは逆側の縦縁１８ｂに対し、上記スクリーン７を挟んで係合されている。
【００２４】
上記ベース体１８の張紐８の挿通位置には、図４に示すように、該張紐８を連結部材９の内部に通すための挿通孔２２が形成され、スクリーン７を第２端側から多段に貫通して第１端側に導出された各張紐８が、この挿通孔２２、及びそれに重ねられたスクリーン７の第１端の襞７ａの部分の孔を貫通するように、ベース体１８に鳩目状をなすガイド体２４が取付られ、上記張紐８はこのガイド体２４を通して上記連結部材９の中空部２０内に挿通され、該中空部２０内を通じて上下方向に導かれる。
一方、上記スクリーン７の左端である第２端の固定板１０に対する固定は、張紐８がスクリーン７からの導出位置において長手方向に移動しない状態で用いられているので、張紐８の移動を考慮する必要はなく、固定板１０に対してスクリーン７を両面接着テープや接着剤等を用いて適宜固定することができる。
【００２５】
上記連結部材９の可動框４に対する係脱自在の連結は、図５を参照して以下に説明するような構成とするのが望まれる。
すなわち、上記連結部材９は、前述したように、可動框４のスクリーン収容部１１の内底において、一対の第１係合突部１３，１３で開口幅を絞られたスクリーン取付溝１２内に係脱自在に収容されるが、この収容状態においては、上記スクリーン７に拡張方向の力が作用した際に、上記連結部材９の係合爪１９ｄ側が上記係合突部１３の一方に当接すると共に、該連結部材９のヒンジ部２１側が上記スクリーン取付溝１２の内面に当接する方向への移動を拘束されることにより、該連結部材９が該スクリーン取付溝１２から抜脱するのを阻止されるように構成される。
【００２６】
上述した構成は、更に具体的には、上記スクリーン取付溝１２が、その横断面（図５の（ｂ）参照）において、スクリーン７側に配された幅広の第１溝部１２ａと、その第１溝部１２ａの溝底に配された幅狭の第２溝部１２ｂとにより略凸字状に形成され、上記連結部材９が、その横断面（図４の（ａ）及び図５の（ｂ）参照）において、スクリーン７側に配された幅広の第１段部９ａと、その第１段部９ａの段上に配された幅狭の第２段部９ｂとにより略凸字状に形成され、そして、上記第１溝部１２ａを、上記第１段部９ａよりも幅広に形成し、上記第２溝部１２ｂを、上記第１段部９ａよりも幅狭かつ上記第２段部９ｂよりも幅広に形成し、各部の寸法関係を適切に設定することにより得られるものである。
【００２７】
図５に例示している具体例においては、上記スクリーン取付溝１２の横断面において、上記第２溝部１２ｂが上記第１溝部１２ａにおける溝底の中央に形成され、上記連結部材９の横断面において、上記第２段部９ｂが上記第１段部９ａの段上における上記ヒンジ部２１側に偏寄した位置に形成され、上記スクリーン取付溝１２の第２溝部１２ｂに連結部材９の第２段部９ｂが係合した状態では、図５の（ａ）に示すように、スクリーン取付溝１２内において連結部材９をヒンジ部２１側に寄せても、上記連結部材９の係合爪１９ｄ側がスクリーン取付溝１２の開口の係合突部１３に係合してスクリーン取付溝１２の開口から脱出せず、逆に、図５の（ｂ）に示すようにスクリーン取付溝１２内において連結部材９を係合爪１９ｄ側に寄せれば、連結部材９のヒンジ部２１側がスクリーン取付溝１２の開口の係合突部１３に係合することなくスクリーン取付溝１２の開口から脱出するような寸法関係に形成している。
【００２８】
このように構成すると、上記連結部材９が可動框４におけるスクリーン収容部１１内のスクリーン取付溝１２に係脱自在に収容されている状態において、上記スクリーン７に拡張方向の力が作用した場合に、その力が連結部材９に対してそれをヒンジ部２１側に押圧する方向に作用し、そのため、連結部材９の係合爪１９ｄ側がスクリーン取付溝１２の係合突部１３に当接して、該連結部材９が該スクリーン取付溝１２から抜脱するのを阻止される。
また、連結部材９をスクリーン取付溝１２から取り出す際には、図５の（ｂ）に示すように、連結部材９を係合爪１９ｄ側に寄せればよく、それにより、連結部材９のヒンジ部２１側がスクリーン取付溝１２の係合突部１３に係止しなくなるので、連結部材９を傾倒させてそれをスクリーン取付溝１２から容易に取り出すことができる。
【００２９】
なお、上記固定板１０の上記固定框５に対する連結は、張紐８との関係をあまり考慮する必要がないので、上記連結部材９の場合と同様な手段によって係脱自在に連結することもできるが、スクリーン収容部１４内の溝部材１５における第２のスクリーン取付溝１６の口部の一対の第２係合突部１７，１７の内側に、該溝部材１５の長手方向の端部から上記固定板１０を挿入することによって行うこともできる。
【００３０】
上記実施例においては、上記第１の框部材を可動框４とし、上記第２の框部材を固定框５として、固定框５に対向する縦固定枠６の上下に各一端を固定した張紐８を、可動框４において、スクリーン７の第１端に取り付けられた連結部材９の上下端から、該可動框４自体には貫通させることなく、その連結部材９の中空部２０内に挿通して、上下逆方向に導びき、それらの張紐８を、上下逆位置においてガイド体２４に形成されている挿通孔２２に通して横方向に転向させ、スクリーン７内を通して固定框５側へと導き、そこに固定している。固定框５内に上記両張紐８を連結することなく、両張紐８を１本の張紐として構成していてもよい。
【００３１】
このように構成した平行移動機構によれば、可動框４の姿勢を一定に保持させたままで安定的に平行移動させることができ、しかも、張紐８の架け廻しを含む可動框４及び固定框５へのスクリーン７の着脱、延いてはスクリーン装置の分解組立を、張紐の処置を含めて容易に行うこことができる。
特に、上記張紐８を架け廻すに際し、該張紐８を連結部材９の上下端から導出する場合には、図６の（ａ）に示すように、連結部材９のカバー体１９とベース体１８とを開放状態とし、この状態で張紐８を連結部材９の上下端に導くように配置した後、同図（ｂ）に示すように、カバー体１９の係止爪１９ｄをベース体１８に係合して、連結部材９を閉鎖状態にすればよく、これにより張紐８は連結部材９内に纏めて収容される。
また、図６の（ｂ）に示す連結部材９を可動框４に取り付けることにより、図７に示すようにスクリーン組立体を構成することができる。
【００３２】
なお、上記実施例では、平行移動機構を構成する張紐８を、スクリーン７に対して上下２段に挿通しているが、図８に示すように、上記張紐８を更に多段に挿通することもできる。この図８の他の構成及び作用は上記図１〜図７の実施例と実質的に変わるところがないので、同一または相当する部分に同一の符号を付して、それらの説明を省略する。
【符号の説明】
【００３３】
１      建物開口部
２      上固定枠
３      下固定枠
４      可動框
５      固定框  
７      スクリーン
８      張紐
９      連結部材
９ａ    第１段部
９ｂ    第２段部
１２      スクリーン取付溝
１２ａ    第１溝部
１２ｂ    第２溝部
１３      係合突部
１８      ベース体
１８ａ，１８ｂ    縦縁
１９      カバー体
１９ａ    縦縁
１９ｄ    係合爪
２０      中空部
２１      ヒンジ部
【図１】
0005496867.tif 000002
【図２】
0005496867.tif 000003
【図３】
0005496867.tif 000004
【図４】
0005496867.tif 000005
【図５】
0005496867.tif 000006
【図６】
0005496867.tif 000007
【図７】
0005496867.tif 000008
【図８】
0005496867.tif 000009